(57)【要約】【課題】設計の自由度を損なうことがない計器装置を提供する。【解決手段】第１方向に押されることにより入力を受け付けるスイッチ１１を有する回路基板１０と、スイッチ１１と対向する第１方向の一端３２ｂと、スイッチ１１に対する入力を間接的に受け付ける、第１方向の他端３３と、を有するキートップ３１と、キートップ３１を覆うカバー３５と、第１方向を軸方向とする筒形状及びカバー３５の内側形状に対応した外形を有し、カバー３５の内側に配置されることによりカバー３５を支持する支持部材４０と、を備えた。【選択図】図２
2020094845.tif 000002
【特許請求の範囲】
【請求項１】
第１方向に押されることにより入力を受け付けるスイッチを有する回路基板と、
前記スイッチと対向する前記第１方向の一端と、前記スイッチに対する入力を間接的に受け付ける、前記第１方向の他端と、を有するキートップと、
前記キートップを覆うカバーと、
前記第１方向を軸方向とする筒形状及び前記カバーの内側形状に対応した外形を有し、前記カバーの内側に配置されることにより前記カバーを支持する支持部材と、を備えた計器装置。
【請求項２】
前記支持部材は、前記キートップを前記第１方向に動作可能に支持する、請求項１記載の計器装置。
【請求項３】
前記カバーは、前記他端と対向する頂面を有し、
前記支持部材は、前記頂面に対して隙間を有する前記第１方向の一端を有する、請求項１記載の計器装置。
【請求項４】
前記カバーは、前記頂面から前記キートップに沿って延びる側壁を有し、
前記支持部材の前記一端は、前記側壁が他の部材に覆われることなく露出する箇所において、前記隙間を大きくする切欠を有する、請求項３記載の計器装置。
【請求項５】
前記支持部材は、前記カバーに面する側の角が面取りされた、前記第１方向の一端を有する、請求項１記載の計器装置。
【請求項６】
前記計器装置の内部構造を支持する中ケースを更に備え、
前記支持部材は、前記中ケースに支持される、請求項１記載の計器装置。
【発明の詳細な説明】
【技術分野】
【０００１】
本発明は、車両等に搭載される計器装置に関する。
【背景技術】
【０００２】
従来の計器装置において、回路基板に設けられたスイッチを間接的に押すため、キートップを設けることが知られている。このキートップは、カバーで覆われ、使用者はカバーを介してキートップを押すことで、間接的にスイッチを押す。
【先行技術文献】
【特許文献】
【０００３】
【特許文献１】特開２０１７−４９０２７号公報
【発明の概要】
【発明が解決しようとする課題】
【０００４】
カバーは、例えばケース部材、表示板、見返し部材、最前面に配置される透光板等の、スイッチよりも前面側に設けられる各種部材により支持される。しかし、スイッチと、使用者より入力操作を受け付ける地点、すなわちキートップのスイッチと対向する端部とが遠くなった場合、これに合わせてカバーの長さも長くなる。スイッチよりも前面側に設けられる各種部材がカバーを支持するが、カバーの長さが長くなった場合には、カバーを十分に支持できない虞がある。特に、カバーがゴムなどの柔軟性を有する素材で形成される場合、カバーを支持する部材がないと、カバーの形状を維持できず、カバーが変形する虞がある。
【０００５】
本発明はこのような事情を考慮してなされたもので、設計の自由度を損なうことがない計器装置を提供することを目的とする。
【課題を解決するための手段】
【０００６】
本発明に係る計器示装置は、上述した課題を解決するために、第１方向に押されることにより入力を受け付けるスイッチを有する回路基板と、前記スイッチと対向する前記第１方向の一端と、前記スイッチに対する入力を間接的に受け付ける、前記第１方向の他端と、を有するキートップと、前記キートップを覆うカバーと、前記第１方向を軸方向とする筒形状及び前記カバーの内側形状に対応した外形を有し、前記カバーの内側に配置されることにより前記カバーを支持する支持部材と、を備えた。
【発明の効果】
【０００７】
本発明に係る計器装置においては、設計の自由度を損なうことがない。
【図面の簡単な説明】
【０００８】
【図１】本発明に係る計器装置の実施形態である計器装置の正面図。
【図２】図１のII−II線に沿う断面図。
【図３】図１のIII−III線に沿う断面図。
【図４】キートップを操作受付面側から示す斜視図。
【図５】カバーを頂面側から示す斜視図。
【図６】（ａ）は支持部材を前端側から示す斜視図、（ｂ）は鍔側から示す斜視図。
【発明を実施するための形態】
【０００９】
本発明に係る計器装置の実施形態を添付図面に基づいて説明する。本発明に係る計器装置は、例えば自動車や二輪車等の車両や、船舶、農業機械、建設機械に搭載される。
【００１０】
図１は、本発明に係る計器装置の実施形態である計器装置１の正面図である。
図２は、図１のII−II線に沿う断面図である。
図３は、図１のIII−III線に沿う断面図である。
【００１１】
以下の説明において、「前（前面）」、「後（背面）」、「上」、「下」、「右」、及び「左」は、図１から図３における定義「Ｆｒ．」、「Ｒｅ．」、「Ｔｏ．」、「Ｂｏ．」、「Ｒ」、及び「Ｌ」に従う。
【００１２】
計器装置１は、速度計、ワーニング表示部、表示パネル等で実現される表示部２を有し、これらを介して各種情報を表示する。
【００１３】
計器装置１は、回路基板１０と、ケース２０と、スイッチユニット３０と、を主に有する。
【００１４】
回路基板１０は、スイッチ１１と、スイッチ１１や表示部２のドライバ等を含む制御部と、を主に有する。
【００１５】
スイッチ１１は、回路基板１０の前面１０ａ上に半田付けされて設けられ、第１方向としての前から後方向に押されることにより入力を受け付ける。スイッチ１１は、例えば表示部２の表示内容を変更する指示を受け付ける。
【００１６】
制御部は、ＣＰＵ（Central Processing Unit）、ＲＯＭ（Read Only Memory）、ＲＡＭ（Random Access Memory）等を有し、例えば、ＲＯＭに書き込まれたプログラムに従って所定の演算処理を実行する。制御部は、例えば、車両のＥＣＵ（Electronic Control Unit）を介して各種センサ等から各種車両情報を取得する。制御部は、スイッチ１１からの指示を含む、取得した各種情報に基づき、表示部２を駆動する。
【００１７】
ケース２０は、下ケース２１と、上ケース２２と、中ケース２３と、見返し部材２４と、を有する。
【００１８】
下ケース２１及び上ケース２２は、樹脂（例えば黒色のポリプロピレン）からなる。下ケース２１及び上ケース２２は、例えば嵌め合い構造により互いに強固に固定される。これにより、下ケース２１及び上ケース２２は内部空間を形成し、この内部空間に表示部２、回路基板１０、及びスイッチユニット３０を収容する。
【００１９】
上ケース２２は、透光板２５に覆われる開口２２ａを有する。透光板２５は、透光性の樹脂（例えばポリカーボネート樹脂）からなり、ケース２０の内部の表示部２や回路基板１０を塵埃等の侵入から保護するために設けられる。透光板２５は、表示部２の表示領域と略対応する領域に形成される。
【００２０】
中ケース２３は、樹脂（例えば白色のポリプロピレン）からなり、内部構造である表示部２、回路基板１０、及び支持部材４０（後述）をケース２０の内部空間内に固定したり、支持したりする。
【００２１】
見返し部材２４は、遮光性の樹脂（例えば黒色のＡＢＳ樹脂）からなり、透光板２５の透過領域以外の遮光領域を覆ったり、不要な構造物を遮蔽したりする。
【００２２】
スイッチユニット３０は、スイッチ１１に対する入力操作を使用者から受け付けるために設けられる。スイッチユニット３０は、キートップ３１と、カバー３５と、支持部材４０と、を有する。
【００２３】
ここで、図４は、キートップ３１を操作受付面３３側から示す斜視図である。
図５は、カバー３５を頂面３６側から示す斜視図である。
図６（ａ）は、支持部材４０を前端４１ａ側から示す斜視図、（ｂ）は鍔４２側から示す斜視図である。
【００２４】
キートップ３１は、樹脂（例えば白色のポリプロピレン）からなり、本体３２と、操作受付面３３と、被支持片３４と、を有する。
【００２５】
本体３２は、前端３２ａ及び後端３２ｂを有する、第１方向としての前後方向に延びた棒状部材である。本体３２は、スイッチ１１から、使用者から入力操作を受け付ける地点に対応する長さを有する。後端３２ｂは、スイッチ１１と対向する第１方向の一端として機能する。
【００２６】
操作受付面３３は、本体３２の前端３２ａに本体３２に対して略垂直に設けられる。操作受付面３３は、スイッチ１１に対する入力を間接的に受け付ける、第１方向の他端として機能する。
【００２７】
被支持片３４は、支持部材４０に支持される部分であり、支持部材４０に対して本体３２が回転しないようにする。
【００２８】
カバー３５は、柔軟性を有する、変形可能なゴム（例えば黒色のエチレン・プロピレン・ジエンゴム（ＥＰＤＭ））からなり、キートップ３１を覆う。カバー３５は、頂面３６と、側壁３７と、鍔３８と、を有し、頂面３６と対向する面が開口した構造を有する。
【００２９】
頂面３６は、キートップ３１の操作受付面３３と対向し、操作受付面３３を覆う面であり、主に使用者に押される面である。
【００３０】
側壁３７は、頂面３６からキートップ３１に沿って延びる。具体的には、側壁３７は、頂面３６からキートップ３１の本体３２の延びる方向に沿って、略前後方向に面方向を有する。本実施形態においては、カバー３５のうち、前後方向に直交する面を頂面３６とし、前後方向に沿う面及び前後方向に直交する面と前後方向に沿う面とを繋ぐ面を側壁３７とする。
【００３１】
鍔３８は、側壁３７の頂面３６側の前端３７ａと前後方向において対向する後端３７ｂ（図５）に形成される。鍔３８は、支持部材４０の鍔４２に支持される支持面である。
【００３２】
支持部材４０は、樹脂（例えば白色のポリプロピレン）からなり、カバー３５の内側に配置されることにより、カバー３５を支持する。また、支持部材４０は、キートップ３１を前後方向に動作可能に支持する。支持部材４０は、中ケース２３に支持される。支持部材４０は、筒部４１と、鍔４２と、を有する。
【００３３】
筒部４１は、前後方向を軸方向とする略台形状の筒形状を有し、前端４１ａと、後端４１ｂ（図６）と、を有する。筒部４１は、カバー３５の内側形状に対応した外形を有する。前端４１ａは、前後方向の一端であり、カバー３５の頂面３６に対して隙間４３を有する。また、前端４１ａは、側壁３７が他の部材に覆われることなく露出する箇所において、隙間４３を大きくする切欠４４を有する。側壁３７を覆う他の部材は、例えば計器装置１が固定される車両のインストルメントパネル５０（図２）である。切欠４４は、例えばＵ字形であり、インストルメントパネル５０で覆われる境界５１まで切り欠かれるのが好ましい。更に、前端４１ａは、カバー３５に面する側の角４１ｃが面取りされる。これにより、カバー３５に支持部材４０を挿入する際の作業性を向上させることができる。
【００３４】
筒部４１は、キートップ３１を支持するための支持構造４６を内側に有する。支持構造４６は、本体３２及び被支持片３４の外形に対応した、若干のあそびを有する空間を有する。支持構造４６のうち本体３２を支持する構造４６ａは、筒部４１の後端４１ｂから突出する。これにより、支持構造４６は、キートップ３１を前後方向に直立させると同時に、前後方向を軸にした回転を規制する。
【００３５】
鍔４２は、筒部４１の後端４１ｂに形成される。鍔４２は、中ケース２３に支持される支持面である。
【００３６】
このようなスイッチユニット３０は、次のように組み立てられる。
【００３７】
まず、支持部材４０が鍔４２を介して中ケース２３に支持される。次に、支持部材４０の支持構造４６にキートップ３１が支持される。その後、支持部材４０にカバー３５が被せられ、支持部材４０の鍔４２の前側にカバー３５の鍔３８が配置される。最後に上ケース２２の凸部２２ｂがカバー３５の鍔３８と嵌まり合うことにより、スイッチユニット３０は固定される。
【００３８】
このような計器装置１は、上述したスイッチユニット３０を有することにより、設計の自由度を損なうことがない。すなわち、計器装置１は、キートップ３１の前後方向長さが長くなることに伴いカバー３５も長くなったとしても、カバー３５の形状を支持部材４０が支持することにより、カバー３５の変形を低減することができる。このため、スイッチ１１からカバー３５の頂面３６までの距離によって、スイッチユニット３０をはじめとする計器装置１の設計の自由度が制限されることがない。
【００３９】
また、スイッチユニット３０を組み立てる際、支持部材４０がない場合には、キートップ３１にカバー３５を被せた状態で、上ケース２２を嵌め合わせるまでキートップ３１を作業者が支持しておく必要がある。この場合、キートップ３１が脱落する虞があり、組み立て時の作業性を損なう虞がある。これに対し、本実施形態における計器装置１は、支持部材４０がキートップ３１を支持することができるため、組み立て時の作業性を向上させることができる。
【００４０】
更に、使用者が入力操作をする際に、押す地点がカバー３５の頂面３６から側壁３７側にずれてしまう、すなわち、前後方向にカバー３５が押されない場合が起こりうる。これに対し、筒部４１の前端４１ａは隙間４３を有するため、カバー３５の側壁３７を押す力が前端４１ａに遮られることなく、キートップ３１の操作受付面３３に伝えられる。特に、カバー３５の側壁３７が一部のみ露出する箇所に対応する前端４１ａは、Ｕ字状に切り欠かれ、隙間４３を他の隙間４３よりも大きくする切欠４４を有する。このため、使用者が触れることのできるカバー３５の領域（カバー３５がケース２０やインストルメントパネル５０から露出した領域）において入力操作を受け付けることができる。よって、計器装置１は、支持部材４０を有する場合であっても、操作性を低下させることがない。
【００４１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４２】
１  計器装置
２  表示部
１０  回路基板
１１  スイッチ
２０  ケース
２１  下ケース
２２  上ケース
２２ａ  開口
２２ｂ  凸部
２３  中ケース
２４  見返し部材
２５  透光板
３０  スイッチユニット
３１  キートップ
３２  本体
３２ａ、３７ａ、４１ａ  前端
３２ｂ、３７ｂ、４１ｂ  後端
３３  操作受付面
３４  被支持片
３５  カバー
３６  頂面
３７  側壁
３８、４２  鍔
４０  支持部材
４１  筒部
４１ｃ  角
４３  隙間
４４  切欠
４６  支持構造
５０  インストルメントパネル
５１  境界
【図１】
2020094845.tif 000003
【図２】
2020094845.tif 000004
【図３】
2020094845.tif 000005
【図４】
2020094845.tif 000006
【図５】
2020094845.tif 000007
【図６】
2020094845.tif 000008